(57)【要約】【課題】測光光学系と撮影光学系とを別に備えたカメラでは、撮影光学系の焦点距離が長い場合は、逆光状態を判定しづらいという課題がある。【解決手段】撮影光学系の焦点距離が長い場合は、逆光判定の際には、露出値の演算にときに用いる測光用エリアセンサーよりも広い面積となる測光用センサーの出力を用いる。【選択図】　　　　図４
2004061928.tif 000002
【特許請求の範囲】
【請求項１】
測光光学系と、該測光光学系とは別に構成された撮影光学系と、光電変換機能を備えた異なる複数の領域から成る測光手段と、該測光手段の出力を用いて被写体が逆光であるか否かを判定する逆光判定手段と、該測光手段の出力を用いて被写体の露出値を演算する露出制御手段とを有する光学機器であって、
該逆光判定手段が逆光を判定するときと、該露出制御手段が露出値を演算するときとで該測光手段の異なる領域の出力を用いることを特徴とする光学機器。
【請求項２】
該撮影光学系の焦点距離は可変であって、該露出制御手段は該撮影光学系の焦点距離に応じて定められた測光手段の領域の出力を用いて、露出値を演算することを特徴とする請求項１記載の光学機器。
【請求項３】
該撮影光学系の焦点距離は可変であって、該逆光判定手段は該撮影光学系の焦点距離に応じて定められた測光手段の領域の出力を用いて、被写体が逆光であるか否かを判定することを特徴とする請求項１または２記載の光学機器。
【請求項４】
被写体までの距離を測定する測距手段を有し、該撮影光学系の焦点距離は可変であって、該逆光判定手段は該撮影光学系の焦点距離と該測距手段の測定結果とに応じて定められた測光手段の領域の出力を用いて、被写体が逆光であるか否かを判定することを特徴とする請求項１または２記載の光学機器。
【請求項５】
該撮影光学系の焦点距離が所定値以上の場合に、該逆光判定手段が逆光を判定するときと、該露出制御手段が露出値を演算するときとで、該測光手段の異なる領域の出力を用いることを特徴とする請求項２から４のいずれかに記載の光学機器。
【請求項６】
該測光手段の出力から被写体が占める領域を判別する被写体領域判別手段を有し、被写体が占める領域の大きさに応じて定められた測光手段の領域の出力を用いて、被写体が逆光であるか否かを判定することを特徴とする請求項１または２記載の光学機器。
【請求項７】
該逆光判定手段は被写体が逆光であるか否かを判定するときは、該露出制御手段が露出値を演算するときに用いる測光手段の領域よりも、外側に位置する測光手段の領域の出力を用いることを特徴とする請求項１から６のいずれかに記載の光学機器。
【請求項８】
該逆光判定手段は、被写体が存在するとみなされた位置に対応するスポット状の領域と、該スポット状の領域を内部に含む領域の出力とを比較して、逆光を判定することを特徴とする請求項１から７のいずれかに記載の光学機器。
【請求項９】
該逆光判定手段は被写体が逆光であるか否かを判定するときは、撮影画角の外側に位置する測光手段の領域の出力も用いることを特徴とする請求項１から８のいずれかに記載の光学機器。
【請求項１０】
測光光学系と、該測光光学系とは別に構成された撮影光学系と、光電変換機能を備えた異なる複数の領域に分割された測光手段とを有する光学機器の逆光判別方法であって、
露出値を演算するときに用いる測光手段の領域よりも、外側に位置する測光手段の領域を用いて被写体が逆光であるか否かを判別することを特徴とする逆光判別方法。
【請求項１１】
該撮影光学系の焦点距離は可変であって、該撮影光学系の焦点距離に応じて定められた測光手段の領域の出力を用いて、被写体が逆光であるか否かを判定することを特徴とする請求項１０の逆光判別方法。
【請求項１２】
該撮影光学系の焦点距離は可変であって、該撮影光学系の焦点距離と被写体までの距離とに応じて定められた測光手段の領域の出力を用いて、被写体が逆光であるか否かを判定することを特徴とする請求項１０記載の逆光判別方法。
【請求項１３】
該測光手段の出力から被写体が占める領域を判別し、被写体が占める領域の大きさに応じて定められた測光手段の領域の出力を用いて、被写体が逆光であるか否かを判定することを特徴とする請求項１１記載の逆光判別方法。
【請求項１４】
被写体が逆光であるか否かを判定する際には、被写体が存在するとみなされた位置に対応するスポット状の領域と、該スポット状の領域を内部に含む領域の出力とを比較することを特徴とする請求項１０から１３のいずれかに記載の逆光判別方法。
【発明の詳細な説明】
【０００１】
【発明の属する技術分野】
本発明は、銀塩カメラやデジタルカメラ等の光学機器に関するものであり、特に、被写体の逆光判別に関するものである。
【０００２】
【従来の技術】
撮影者が主要な撮影対象としている被写体（以下、主被写体という）の輝度がその背景の輝度と比較して極端に小さい撮影状態、例えば、撮影方向と対面した方向（主被写体の後方）からの照明光によって主被写体の前面が暗くなる逆光状態がある。
【０００３】
このような逆光状態では露出補正を行うことが好ましく、逆光状態を検出するには、図８に示すような複数の領域を備えた光電変換機能を備えた測光センサーを用いる。Ａ〜Ｄは相似形状のエリアセンサーであって、エリアセンサーＡの内側にエリアセンサーＢが位置し、エリアセンサーＢの内側にエリアセンサーＣが位置し、エリアセンサーＣの内側にエリアセンサーＤが位置する。Ｅ〜Ｋは各々がエリアセンサーＡ〜Ｄよりも小さい領域で構成されたスポットセンサーであり、水平方向に，測距センサーと一対一で対応するように並んで配置されている。
【０００４】
主被写体が存在するとみなされた位置（測距位置）に対応するスポットセンサーで得られた測光値と、エリアセンサーの測光値とを求め、両者の差が基準値を超えた場合に逆光状態であると判定する。逆光状態では主被写体の輝度が背景に対して小さく、撮影時の露出値は背景の輝度に引っ張られるため、主被写体は露出不足となる。そのため、強制的にストロボ発光を行うなどして、主被写体の輝度が適正になるよう露出補正を行う。
【０００５】
エリアセンサーＡ〜Ｄは常に全部が使用されるのではなく、撮影光学系であるズームレンズの焦点距離に対応して、使用するエリアセンサーが選択される。
【０００６】
その理由としては、測距および測光光学系と、撮影光学系とが別の光学系として構成されており、撮影光学系のズームレンズが焦点距離を変化させた場合でも、測距および測光光学系の焦点距離は変化せずに常に一定であるからである。
【０００７】
ズームレンズが焦点距離を変化させた場合、図９に示すように画角が変化し、画角と、エリアセンサーＡ〜ＤおよびスポットセンサーＥ〜Ｋとの、相対的な位置や大きさが変化する。
【０００８】
例えば、３つの焦点距離を有するズームレンズにおいて、それぞれの焦点距離に設定した状態を、焦点距離が短いほうから順にワイド、ミドル、テレと呼ぶと、図９に示す例ではワイド時の画角はエリアセンサーＡよりも外側に位置し、ミドル時の画角は一部がエリアセンサーＡの内側に位置し、テレ時の画角はエリアセンサーＢとＣの間に位置している。
【０００９】
撮影時の露出値を演算するときは、焦点距離によらず、画角に対して一定の大きさとなる領域で測光値を求めないと、同じ被写体を撮影していても異なる露出値が求まってしまう。そのため、ワイド、ミドル、テレのいずれの状態でも、測光値を求めるためのエリアセンサーの大きさは、画角に対して例えば図１０に示す大きさの領域となることが好ましい。
【００１０】
このため、ズームレンズの焦点距離応じて、異なるエリアセンサーを選択する必要がある。
【００１１】
図１１はレリーズボタンを半押しすることにより、ＳＷ１がオンして測光および測距を開始し、その後レリーズボタンを全押しすることにより、ＳＷ２がオンして露出制御し、被写体の記録を行う撮影シーケンスのフローチャートを示した図である。
【００１２】
ステップＳ１００１でＳＷ１がオンすると、ステップＳ１００２で電源であるバッテリー残容量のチェックを行う。
【００１３】
ステップＳ１００２で問題がなければステップＳ１００３に進み、不図示の複数の測距センサーで被写体までの距離を測り、主被写体の選択とそこまでの距離を演算する。
【００１４】
ステップＳ１００４ではエリアセンサー、スポットセンサーを用いて測光値を求め、逆光判定と露出制御を行うための露出値の演算を行う。
【００１５】
ステップＳ１００５では逆光判定結果、露出値の演算結果に応じて、必要であればストロボの充電を行う。
【００１６】
ステップＳ１００６ではＳＷ１の状態判定を行い、ＳＷ１がオンされたままであるかをチェックし、ＳＷ１がオフされていればステップＳ１０１２に進み、このフローを終了する。ＳＷ１がオンされたままであれば、ステップＳ１００７に進む。
【００１７】
ステップＳ１００７ではＳＷ２の状態判定を行い、ＳＷ２がオンされているかをチェックし、ＳＷ２がオンされるまではＳＷ１とＳＷ２の状態判定を繰り返す。
【００１８】
ＳＷ２がオンされるとステップＳ１００８に進み、結像面に焦点を合わせるレンズセットを行う。ここでいう撮影光学系とは、被写体からの光束を、カメラ内のフィルム（デジタルカメラであればＣＣＤ等の撮像変換素子）まで導くための光学系である。
【００１９】
ステップＳ１００９では演算した露出値に基づいて、シャッターを制御し、フィルムへ露光を行う。
【００２０】
その後ステップＳ１０１０にて撮影光学系を待機位置に戻すためのレンズリセットを行う。
【００２１】
ステップＳ１０１１では給送（デジタルカメラであれば、キャプチャーや現像、撮影画像の保存）の一連の動作を行い、この撮影シーケンスを終了する。
【００２２】
図１２は、上記のステップＳ１００４での測光動作を述べたフローチャートである。
【００２３】
ステップＳ１１０１で測光を開始すると、ステップＳ１１０２で測光用のエリアセンサーに信号を蓄積し、この信号を読み出す。
【００２４】
ステップＳ１１０３で図９に示したように焦点距離に応じたエリアセンサーの出力を選択する。
【００２５】
ステップＳ１１０４で選択した出力信号を用いて露出制御に用いる測光値を演算する。
【００２６】
ステップＳ１１０５で測距値として選択された測距点に対応するスポットセンサーの出力を選択し、その出力信号からスポットセンサーの測光値を求める。
【００２７】
ステップＳ１１０６で露出制御に用いる測光値とスポットセンサーの測光値との差を求める。エリアセンサーの測光値がスポットセンサーの測光値より大きく、その差が所定値（１ＥＶ）以上であれば逆光状態であると判定し、ステップＳ１１０７で逆光フラグをセットする。また、上記条件を満たしていなければ逆光状態ではないと判定し、ステップＳ１１０８で逆光フラグをリセットする。そして、この測光シーケンスを終了する。
【００２８】
図１３〜１５は、逆光判定時に、ワイド、ミドル、テレの各焦点距離で使用するエリアセンサーと画角、そして主被写体の関係を模式的に示した図である。なお、それぞれの図で、測光に使用しないエリアセンサーは省略してある。
【００２９】
上述したように、測光値を求めるためのエリアセンサーの大きさは、画角に対して一定となるように設定されている。焦点距離がワイドの場合には、図１３に示すようにＡ〜Ｄのすべてのエリアセンサーを使用して露出制御に用いる測光値を演算し、逆光判定の際にはこの演算した測光値と、主被写体が存在するとみなされた測距位置に対応するＥ，Ｈ，Ｋのいずれか（図１３の場合はＨ）のスポットセンサーで得られた測光値との差を用いる。
【００３０】
焦点距離がミドルの場合には、図１４に示すようにエリアセンサーＣ，Ｄを使用して露出制御に用いる測光値を演算し、逆光判定の際にはこの演算した測光値と、主被写体が存在するとみなされた測距位置に対応するＦ，Ｈ，Ｊのいずれか（図１４の場合はＨ）のスポットセンサーで得られた測光値との差を用いる。
【００３１】
焦点距離がテレの場合には、図１５に示すようにエリアセンサーＤのみを使用して露出制御に用いる測光値を演算し、逆光判定の際にはこの演算した測光値と、主被写体が存在するとみなされた測距位置に対応するＧ，Ｈ，Ｉのいずれか（図１５の場合はＨ）のスポットセンサーで得られた測光値との差を用いる。
【００３２】
【発明が解決しようとする課題】
しかし、上述の方法では正しく逆光判定ができない場合がある。
【００３３】
図１３では主被写体がエリアセンサーＣ，Ｄに大きく掛かっているが、エリアセンサーＡ，Ｂに掛かる割合はそれほど大きくない。図１４では主被写体がエリアセンサーＤに大きく掛かっているが、エリアセンサーＣに掛かる割合はそれほど大きくない。したがって、エリアセンサーの出力の重み付けや輝度分布を適切に判断すれば、これらの外側に位置するエリアセンサーの測光値とスポットセンサーＨの測光値を比較することで逆光状態を適切に判断することができる。
【００３４】
しかし、図１５では主被写体がエリアセンサーＤに大きく掛かっており、かつ、エリアセンサーＤ以外のエリアセンサーは測光値の演算に用いられていないため、エリアセンサーの測光値とスポットセンサーＨの測光値との間には差が生じにくくなり、逆光状態を判定しにくくなる。
【００３５】
そのため、被写体の条件は一緒であるにもかかわらず、焦点距離がテレの場合だけ逆光状態と判定されない場合が生じるおそれがあった。
【００３６】
図１３〜１５に示した例では、テレ状態のときに使用するエリアセンサーが１つだけであるため上記のような問題が生じたが、テレ状態のときに使用するエリアセンサーが複数あっても同様の問題が生じることが考えられる。
【００３７】
テレ状態で撮影を行う場合は、遠くにいる主被写体を大きく撮影したい場合が多く、このとき主被写体が画面を占める割合は大きくなる。主被写体が画面を占める割合が大きい場合は、たとえ測光値を求める際に使用するエリアセンサーが複数あったとしても、全てのエリアセンサーに主被写体が掛かる場合があり、この場合は、やはりエリアセンサーの測光値とスポットセンサーの測光値との間には差が生じにくくなる。
【００３８】
また、逆光を判定する際に出力信号が使用されるすべてのエリアセンサーに対して、主被写体が大きく掛かっている場合にも、逆光状態が判定されにくい場合がある。
【００３９】
そこで、本発明は、正しく逆光状態を検出し、より適正な露出値を得ることができるカメラを提供することを目的とする。
【００４０】
【課題を解決するための手段】
上記課題を解決するために、請求項１に記載の光学機器は、測光光学系と、該測光光学系とは別に構成された撮影光学系と、光電変換機能を備えた異なる複数の領域から成る測光手段と、該測光手段の出力を用いて被写体が逆光であるか否かを判定する逆光判定手段と、該測光手段の出力を用いて被写体の露出値を演算する露出制御手段とを有する光学機器であって、該逆光判定手段が逆光を判定するときと、該露出制御手段が露出値を演算するときとで該測光手段の異なる領域の出力を用いることを特徴とするものである。
【００４１】
上記の光学機器において、該撮影光学系の焦点距離は可変であって、該逆光判定手段は該撮影光学系の焦点距離に応じて定められた測光手段の領域の出力を用いて、被写体が逆光であるか否かを判定することが好ましい。
【００４２】
また、上記の光学機器において、被写体までの距離を測定する測距手段を有し、該撮影光学系の焦点距離は可変であって、該逆光判定手段は該撮影光学系の焦点距離と該測距手段の測定結果とに応じて定められた測光手段の領域の出力を用いて、被写体が逆光であるか否かを判定することが好ましい。
【００４３】
また、上記の光学機器において、該測光手段の出力から被写体が占める領域を判別する被写体領域判別手段を有し、被写体が占める領域の大きさに応じて定められた測光手段の領域の出力を用いて、被写体が逆光であるか否かを判定することが好ましい。
【００４４】
上記課題を解決するために、請求項１０に記載の逆光判別方法は、測光光学系と、該測光光学系とは別に構成された撮影光学系と、光電変換機能を備えた異なる複数の領域に分割された測光手段とを有する光学機器の逆光判別方法であって、露出値を演算するときに用いる測光手段の領域よりも、外側に位置する測光手段の領域を用いて被写体が逆光であるか否かを判別することを特徴とするものである。
【００４５】
上記の逆光判別方法において、該撮影光学系の焦点距離は可変であって、該撮影光学系の焦点距離に応じて定められた測光手段の領域の出力を用いて、被写体が逆光であるか否かを判定することが好ましい。
【００４６】
また、上記の逆光判別方法において、該撮影光学系の焦点距離は可変であって、該撮影光学系の焦点距離と被写体までの距離とに応じて定められた測光手段の領域の出力を用いて、被写体が逆光であるか否かを判定することが好ましい。
【００４７】
また、上記の逆光判別方法において、該測光手段の出力から被写体が占める領域を判別し、被写体が占める領域の大きさに応じて定められた測光手段の領域の出力を用いて、被写体が逆光であるか否かを判定することが好ましい。
【００４８】
【発明の実施の形態】
図１は本発明に係るカメラの外観図である。
【００４９】
１はレリーズスイッチであって、半押しすることでＳＷ１がオンし、撮影準備のための測距、測光等を行わせる。そして、撮影準備完了後に全押しすることでＳＷ２がオンし、レンズセット、露光、レンズリセット、給送等を行わせる。２は測距および測光センサーが格納されているセンサーユニット部、３はファインダーで、不図示のズームスイッチによる撮影光学系の焦点距離の切り替わりに連動して、ファインダーの焦点距離も切り替わる。
【００５０】
４はストロボ発光部で、撮影者のマニュアル設定によって強制的に発光、あるいは発光禁止を設定できるものであり、また、測光結果から主被写体の輝度が低すぎると判定された場合や、逆光状態であると判定された場合には、自動発光を行わせることができる。
【００５１】
５は、撮影光学系であるズームレンズを備えた鏡筒で、不図示のズームスイッチによって撮影光学系の焦点距離を切り替えることができる。
【００５２】
図２は図１のカメラの制御回路を簡単に示したブロック図である。
【００５３】
６はＭＰＵで、不図示のＲＡＭやＲＯＭ、演算手段、記憶手段を有するマイコンである。７はカメラの電源をオン／オフするためのメインスイッチであり、８はカメラの電源がオン状態の場合に鏡筒をテレ側に駆動させるためのテレスイッチである。９はカメラの電源がオン状態の場合に鏡筒をワイド側に駆動させるためのワイドスイッチである。
【００５４】
１０はカメラの電源がオンの場合に撮影準備を開始するスイッチＳＷ１であり、上述したようにレリーズスイッチ１の半押しでオンする。
【００５５】
１１は測距結果に応じて撮影光学系のレンズのピントを合わせ、フィルムに露光を行い、巻き上げるための撮影開始スイッチＳＷ２であり、ＳＷ１がオンしている状態で、レリーズスイッチを更に押し込んで全押しすることでオンする。
【００５６】
１２はカメラの撮影モードを切り替えるための撮影モード設定スイッチであり、このスイッチを操作することで、例えば、撮影モードをワンショットＡＦモードとサーボＡＦモードとで切り替える。ワンショットＡＦモードとは、一旦合焦したあとはレリーズスイッチを離すまでは測距を行わない撮影モードであって、静体の撮影に向いている。サーボＡＦモードとは、レリーズスイッチを半押ししている間は測距を繰り返し行う撮影モードであり、動体の撮影に向いている。
【００５７】
１３は撮影時の被写体の輝度を測定するための光電変換機能を備えた測光センサーＡＬＳであり、不図示の温度センサーを含み、被写体の輝度に応じた信号をＭＰＵに出力する。
【００５８】
１４は被写体距離を測定するための測距センサーＡＦＳからなる測距部である。
【００５９】
１５はシャッター駆動部ＳＨＣであり、測光センサーＡＬＳによって得られた輝度から求めた露出値をもとに、シャターによって露光時間を制御するための制御部である。
【００６０】
１６は不図示のフィルムを、露光終了後、１駒分巻き上げるための給送駆動部ＦＭである。
【００６１】
１７はテレスイッチやワイドスイッチのオンによって焦点距離を変えるために不図示の鏡筒を駆動するための鏡筒駆動部ＺＭであり、１８は測距結果を用いて被写体にピントを合わせるために不図示の撮影光学系のレンズを駆動するためのレンズ駆動部ＬＭである。
【００６２】
このカメラの測光センサーは、上述の図８と同じ構成のものを使用している。図８に示すように、Ａ〜Ｄは相似形状のエリアセンサーであって、エリアセンサーＡの内側にエリアセンサーＢが位置し、エリアセンサーＢの内側にエリアセンサーＣが位置し、エリアセンサーＣの内側にエリアセンサーＤが位置する。Ｅ〜Ｋは各々がエリアセンサーＡ〜Ｄよりも小さい領域で構成されたスポットセンサーであり、各スポットセンサーは、不図示の測距センサーに一対一で対応するように、水平方向に並んで配置されている。
【００６３】
主被写体が存在するとみなされた位置（測距位置）に対応するスポットセンサーで得られた測光値と、エリアセンサーの測光値とを求め、エリアセンサーの測光値がスポットセンサーの測光値よりも大きく、その差が基準値を超えた場合に逆光状態であると判定する。逆光状態では主被写体の輝度が小さいため、強制的にストロボ発光を行うなどして、主被写体の輝度が適正になるよう露出補正を行う。
【００６４】
被写体像の記録を行う撮影シーケンスのフローチャートについては図１１と同じであるため、説明を省略する。
【００６５】
図３は、本発明に係るカメラの測光動作を述べたフローチャートである。
【００６６】
ステップＳ３０１で測光を開始すると、ステップＳ３０２で測光用のエリアセンサーに信号を蓄積し、この信号を読み出す。
【００６７】
ステップＳ３０３で焦点距離に応じたエリアセンサーの出力を選択する。ワイド、ミドル、テレの各焦点距離に応じて、それぞれ図１３〜１５と同じエリアセンサーが選択される。
【００６８】
ステップＳ３０４で選択した出力信号を用いて露出制御に用いる測光値を演算する。
【００６９】
ステップＳ３０５で主被写体に掛かっているとして選択された測距点に対応するスポットセンサーの出力を選択し、その出力信号からスポットセンサーの測光値を求める。
【００７０】
ステップＳ３０６で撮影光学系の焦点距離に応じて、逆光判定に使用するエリアセンサーを選択する。露出制御に用いる測光値を演算するためのエリアセンサーとは別に新たに逆光判定に用いる測光値を演算するためのエリアセンサーを選択する。このステップではステップＳ３０３と同じエリアセンサーを選択する場合もあれば、ステップＳ３０３と異なるエリアセンサーを選択する場合もある。選択するエリアセンサーについては後述する。
【００７１】
ステップＳ３０７では、ステップＳ３０６で選択されたエリアセンサーの測光値とステップＳ３０５で選択されたスポットセンサーの測光値との差を求める。エリアセンサーの測光値がスポットセンサーの測光値より大きく、その差が所定値（１ＥＶ）以上であれば逆光状態であると判定し、ステップＳ３０８で逆光フラグをセットする。また、上記条件を満たしていなければ逆光状態ではないと判定し、ステップＳ３０９で逆光フラグをリセットする。そして、この測光シーケンスを終了する。
【００７２】
図４に、ステップＳ３０６で選択される逆光判定に用いるエリアセンサーを、各焦点距離別に示す。
【００７３】
撮影光学系の焦点距離がワイドの場合には、Ａ〜Ｄのすべてのエリアセンサーを使用して逆光判定に用いる測光値を演算し、この演算した測光値と、主被写体がいるとみなされた測距位置に対応するＥ，Ｈ，Ｋのいずれかのスポットセンサーで得られた測光値との差を用いる。
【００７４】
撮影光学系の焦点距離がミドルの場合には、エリアセンサーＣ，Ｄを使用して逆光判定に用いる測光値を演算し、この演算した測光値と、主被写体がいるとみなされた測距位置に対応するＦ，Ｈ，Ｊのいずれかのスポットセンサーで得られた測光値との差を用いる。
【００７５】
焦点距離がワイドおよびミドルの場合には、露出値を演算するために選択するエリアセンサーと、逆光判定を判定するために選択するエリアセンサーとは、同じである。
【００７６】
撮影光学系の焦点距離がテレの場合には、エリアセンサーＣ，Ｄを使用して逆光判定に用いる測光値を演算し、この演算した測光値と、主被写体がいるとみなされた測距位置に対応するＧ，Ｈ，Ｉのいずれかのスポットセンサーで得られた測光値との差を用いる。
【００７７】
焦点距離がテレの場合、露出値を演算するために選択するエリアセンサーはＤのみである。つまり、逆光判定の際には、露出値を演算する際よりも、外側に位置するエリアセンサーが含まれるように、つまり、用いるエリアセンサーの面積が拡大されるようにエリアセンサーの選択が行なわれる。
【００７８】
図５〜７は逆光判定時に、ワイド、ミドル、テレの各焦点距離で使用するエリアセンサーと画角、そして主被写体の関係を模式的に示した図である。
【００７９】
撮影光学系の焦点距離がワイドのときが図５、ミドルのときが図６に示す状態であり、それぞれ図１３，１４に示す状態と同じである。
【００８０】
撮影光学系の焦点距離がテレのときが図７に示す状態であり、図１５と異なり、主被写体がほとんど掛かっていないエリアセンサーＣが逆光判定に用いられている。
【００８１】
このように撮影光学系の焦点距離が長い場合には、主被写体が露出制御に用いる測光センサーの大部分に掛かってしまう確率が高いため、さらに外側に位置する測光センサーを加えて逆光判定を行う。これにより逆光判定の精度を向上させることが可能となる。
【００８２】
この撮影光学系のズームレンズの焦点距離はワイド、ミドル、テレの３箇所に限定されるわけではなく、もっと多くの焦点距離を有するズームレンズであっても、反対に２箇所のみの焦点距離を有するズームレンズであってもよい。
【００８３】
また、テレの場合のみ、逆光判定に選択するエリアセンサーと露出値の演算に選択するエリアセンサーとを異ならせるものに、本発明が限定されているわけではない。例えば、撮影光学系の焦点距離に基準値を設定し、この基準値より長い焦点距離の場合に、逆光判定に用いるエリアセンサーの領域を露出値の演算に用いるエリアセンサーの領域よりも広くするものも含まれる。
【００８４】
また、撮影光学系の焦点距離に加えて、測距手段による測距結果を用いて、逆光判定時に用いるエリアセンサーの選択を行ってもよい。例えば人物を撮影する場合に焦点距離がテレであっても、人物の全身を撮影するときと人物の顔のアップを撮影するときとで、主被写体が画角を占める割合が大きく変わる。人物の全身を撮影するような場合は、焦点距離がテレであっても露出値を演算する場合と同じエリアセンサーを用いて、正確な逆光の判定を行うことができる。例えば、焦点距離と被写体距離とから求まる撮影倍率が所定値以上のときに、逆光判定時に用いるエリアセンサーの領域を露出値の演算に用いるエリアセンサーの領域よりも広くしてもよいし、あるいは、単に焦点距離がテレであって、かつ、測距値から人物のアップを撮影していると判断できるときに、逆光判定時に用いるエリアセンサーの領域を露出値の演算に用いるエリアセンサーの領域よりも広くしてもよい。さらに、撮影モードとしてポートレートモードが設定されていれば、人物の全身を撮影するのか、顔のアップを撮影するのかは、測距結果によっておおよそ判断することができる。
【００８５】
また、撮影光学系の焦点距離だけではなく、主被写体が占める領域の大きさに応じて、逆光判定に用いるエリアセンサーを選択する構成であってもよい。
【００８６】
例えば、それぞれのエリアセンサーを更に細かい複数の領域に分割し、特開２０００−１５５３５８号公報に記載された方法によって、主被写体が占める領域を判定し、主被写体が露出値の演算に用いるエリアセンサーに大きく掛かるようであれば、逆光判定に用いるエリアセンサーの領域を露出値の演算に用いるエリアセンサーの領域よりも広くする構成であってもよい。
【００８７】
また、逆光判定に用いるエリアセンサーは必ずしも画角内に位置するエリアセンサーである必要はなく、画角からはみ出す（ファインダー視野外）エリアセンサーを用いて逆光判定を行ってもよい。
【００８８】
さらに、フィルムに露光を行う銀塩カメラを例にあげて本発明を説明したが、ＣＣＤ等の光電変換素子に撮像を行うデジタルカメラの逆光判定としても、同様の構成が適用できる。
【００８９】
【発明の効果】
このように焦点距離が可変であるカメラやデジタルカメラ等の光学機器において、撮影光学系の焦点距離が長い場合や、主被写体が画角を占める割合が大きい場合であっても、適切な逆光判定を行うことができるようになる。
【図面の簡単な説明】
【図１】カメラの外観図
【図２】カメラの制御回路を簡単に示したブロック図
【図３】本発明に係る測光動作フローチャートを示す図
【図４】本発明に係る逆光判定に用いるエリアセンサーを各焦点距離別に示す図
【図５】本発明に係る逆光判定の際、焦点距離がワイドである場合のエリアセンサー、画角、および主被写体の関係を模式的に示す図
【図６】本発明に係る逆光判定の際、焦点距離がミドルである場合のエリアセンサー、画角、および主被写体の関係を模式的に示す図
【図７】本発明に係る逆光判定の際、焦点距離がテレである場合のエリアセンサー、画角、および主被写体の関係を模式的に示す図
【図８】測光センサーのエリアセンサー、スポットセンサーの配置を示す図
【図９】焦点距離別の測光センサーと画角との関係を示す図
【図１０】露出値の演算時に使用するエリアセンサーと画角との関係を示す図
【図１１】撮影シーケンスのフローチャートを示す図
【図１２】従来の測光動作シーケンスのフローチャートを示す図
【図１３】従来の逆光判定の際、焦点距離がワイドである場合のエリアセンサー、画角、および主被写体の関係を模式的に示す図
【図１４】従来の逆光判定の際、焦点距離がミドルである場合のエリアセンサー、画角、および主被写体の関係を模式的に示す図
【図１５】従来の逆光判定の際、焦点距離がテレである場合のエリアセンサー、画角、および主被写体の関係を模式的に示す図
【符号の説明】
１　レリーズスイッチ
２　センサーユニット部
３　ファインダー
４　ストロボ発光部
５　鏡筒
６　ＭＰＵ
７　メインスイッチ
８　テレスイッチ
９　ワイドスイッチ
１０　スイッチＳＷ１
１１　スイッチＳＷ２
１２　撮影モード設定スイッチ
１３　測光センサーＡＬＳ
１４　測距センサーＡＦＳ
１５　シャッター駆動部ＳＨＣ
１６　給送駆動部ＦＭ
１７　鏡筒駆動部ＺＭ
１８　レンズ駆動部ＬＭ
【図１】
2004061928.tif 000003
【図２】
2004061928.tif 000004
【図３】
2004061928.tif 000005
【図４】
2004061928.tif 000006
【図５】
2004061928.tif 000007
【図６】
2004061928.tif 000008
【図７】
2004061928.tif 000009
【図８】
2004061928.tif 000010
【図９】
2004061928.tif 000011
【図１０】
2004061928.tif 000012
【図１１】
2004061928.tif 000013
【図１２】
2004061928.tif 000014
【図１３】
2004061928.tif 000015
【図１４】
2004061928.tif 000016
【図１５】
2004061928.tif 000017